(57)【要約】      （修正有）【課題】迅速に水を循環させ濾過できる水生動物飼育用濾過循環装置を提供する。【解決手段】水生動物飼育用濾過循環装置は、少なくとも１個の飼育槽１、生物濾過槽２、カスケード式濾過槽３、ポンピングユニット４、及び、水流動力ユニット５を備える。飼育槽１内には、吸水孔１２及び出水端１４を有する導流部材１１が配置されている。生物濾過槽２内には、集水区２１及び濾過区２２が設けられている。カスケード式濾過槽３は濾過層３１を有し、濾過層３１には濾過材２４が配置される。最底層の濾過層には、飼育槽１上方に位置する送水管３３が設けられている。ポンピングユニット４は、集水区２１内に位置する汲水管４１と、最上層の濾過層上方に出水口４３が位置する滴流管４２とを有する。水流動力ユニット５の第一出気端５１は飼育槽１内に配置され、第二出気端５２は濾過区２２内に配置されている。【選択図】図１
0003189841.tif 000002
【実用新案登録請求の範囲】
【請求項１】
少なくとも１個の吸水孔及び出水端が設けられた導流部材を有する、少なくとも１個の飼育槽と、
互いに連通している集水区及び濾過区を有している生物濾過槽であって、前記集水区は、前記出水端を介して前記飼育槽と連通しており、前記濾過区は、壁面に形成された複数のオーバーフロート口を介して前記飼育槽と連通しており、かつ、内部に複数の生物濾過材が配置されている生物濾過槽と、
前記生物濾過槽の上方に配置された上下に重なる複数の濾過層を有しているカスケード式濾過槽であって、各前記濾過層は、内部に配置された濾過材及び底部に形成された開孔を有しており、最下層の前記濾過層は、前記飼育槽の上方に位置する複数の送水管をさらに有しているカスケード式濾過槽と、
前記集水区内に配置された汲水管、及び、少なくとも１個の出水口が設けられた滴流管を有するポンピングユニットであって、前記出水口は、最上層の前記濾過層の上方に位置するポンピングユニットと、
前記飼育槽内に配置された第一出気端、及び、前記濾過区内に配置された第二出気端を有する水流動力ユニットと、
を備えていることを特徴とする水生動物飼育用濾過循環装置。
【請求項２】
前記導流部材は、少なくとも１個の管体により構成されており、
前記管体の一端には、密閉状の封鎖端が設けられており、前記管体の反対端には前記出水端が設けられており、
前記導流部材は、前記飼育槽の底部に配置されていることを特徴とする請求項１に記載の水生動物飼育用濾過循環装置。
【請求項３】
前記集水区と前記濾過区とは、上下に重ねて配置されていることを特徴とする請求項１に記載の水生動物飼育用濾過循環装置。
【請求項４】
前記集水区の面積は、上方に重ねられた前記濾過区の面積より大きく、
前記集水区のうち前記濾過区を超えて配置されている部分の上方には、踏板が設けられていることを特徴とする請求項１に記載の水生動物飼育用濾過循環装置。
【請求項５】
前記生物濾過材は、生物球又は生物塊であり、
前記濾過材は、フィルターコットン、フィルターネット、セラミックリング、活性炭又は麦飯石を含むことを特徴とする請求項１に記載の水生動物飼育用濾過循環装置。
【請求項６】
前記オーバーフロート口には、保護ネットが設けられていることを特徴とする請求項１に記載の水生動物飼育用濾過循環装置。
【請求項７】
前記導流部材の前記出水端には、輸送管が連接されており、
前記輸送管は、前記ポンピングユニットの前記汲水管と相互に連接していることを特徴とする請求項１に記載の水生動物飼育用濾過循環装置。
【請求項８】
前記ポンピングユニットは、水中モーターであり、
前記水流動力ユニットは、気圧ポンプであることを特徴とする請求項１に記載の水生動物飼育用濾過循環装置。
【請求項９】
前記第一出気端は、前記導流部材の前記出水端と前記生物濾過槽とに隣接した位置に配置されていることを特徴とする請求項１に記載の水生動物飼育用濾過循環装置。
【請求項１０】
前記生物濾過槽内に配置され、前記生物濾過槽に対して酵素を噴霧する酵素噴霧器をさらに備えていることを特徴とする請求項１に記載の水生動物飼育用濾過循環装置。
【考案の詳細な説明】
【技術分野】
【０００１】
本考案は、水生動物飼育用濾過循環装置に関する。
【背景技術】
【０００２】
水槽、養殖池、又は池等の魚類等水生動物を飼育するための飼育装置は、魚類の排泄物が底にたまり易く、人手での清掃が容易でないため、水質の悪化を招いていた。これが、魚類の大量死につながることもあり、水質の浄化は喫緊の課題である。
【０００３】
特許文献１に開示された「水槽構造」では、水槽構造は、第一隔板及び第二隔板により、水槽体が右側飼育空間と左側濾過空間とに区画されている。第一隔板と水槽体の底板間には流道が形成され、第二隔板と第一隔板との間には微空間挟層が形成されている。第二隔板は、第一隔板と左側濾過空間の水槽体の左面板との間に位置する。また、第二隔板の底縁と左側濾過空間の水槽体の底板とは、連結して固定されており、第二隔板の頂縁から下方へ向かう適当な距離には、等間隔をあけて並ぶ複数の流道孔が設置されている。
【０００４】
特許文献１の水槽構造では、水槽の水平面が、第二隔板の流道孔より高くさえあれば、水は、第一隔板と右側飼育空間の水槽体底板との間に形成された流道から、第一隔板と第二隔板との間の挟層へと流れ、さらに第二隔板の流道孔から左側濾過空間に流れる。このように、地球の引力を利用して上から下へと液体が流れることにより、強制的に濾過される。その後、水中モーターにより、濾過後の水は吸い上げられ、パイプを通って、水槽体の右側飼育空間内へと回流する。
【０００５】
特許文献２に開示された「循環して汚染を除去し、活水作用を備える水槽」は、機能部、観賞部、及び連通部を備える。機能部は、第一水流循環動力装置、第二水流循環動力装置、水門、濾過兼硝化菌培養繁殖装置、流体通道、及び酸素生成槽を備える。観賞部と機能部とは、酸素、二酸化炭素、及び養殖液を収容することができ、下から上へ順番に配置された、底部流体曲道、透液サポート装置、及び水生動物飼育空間を備える。透液サポート装置では、少なくとも１個の水中植物を育てる。水生動物飼育空間では、少なくとも１個の水生動物を育てる。
【０００６】
特許文献２の水槽では、さらに、単水流循環動力モードと双水流循環動力モードとを切り換えることができる。単水流循環動力モード時には、養殖液は、観賞部と機能部との間で流動状態を呈し、酸素を供給し続ける。双水流循環動力モード時には、養殖液には所定の二酸化炭素が溶け込み、観賞部底部から上昇して、水中の汚物を機能部方向へと送り出し、濾過を行う。
【先行技術文献】
【特許文献】
【０００７】
【特許文献１】台湾特許第Ｍ３９５３５４号明細書
【特許文献２】台湾特許第Ｍ４２６２７６号明細書
【考案の概要】
【考案が解決しようとする課題】
【０００８】
しかし、上述した発明は欠点があり、改善する必要がある。その欠点は下記の通りである。
【０００９】
（１）特許文献１の構造では、水槽の底部に、魚類の排泄物を収集するメカニズムが一切設置されておらず、また底部の排泄物を清掃する機能も備えていない。すなわち、特許文献１の構造は、主に濾過の機能しか備えておらず、しかも濾過槽の亜硝酸除去機能は理想的でない。そのため、小型観賞魚類用の水槽にしか適用できず、大型食用魚類の水槽或いは養殖池に使用することはできない。
【００１０】
（２）特許文献２では、透液サポート装置は、孔を備える板、及び透液ネット等の構造を備えるが、排泄物の集中収集には用いられない。しかも、その底部流体が、湾曲曲道を流れる時には、それ自身が生じる流体抵抗力が非常に大きいため、より多くの電力を消費してしまう。そのため、動力が大きい第一水流循環動力装置及び第二水流循環動力装置に頼らざるを得ず、電力消費量が過大になってしまう。しかし、それが設置できる生物濾過材の濾過空間は小さすぎるため、大型の水槽或いは養殖池等への使用には適していない。
【００１１】
本考案は、上述の問題に鑑みてなされたものであり、その目的は、水生動物飼育用濾過循環装置を提供することにある。
【課題を解決するための手段】
【００１２】
本考案による水生動物飼育用濾過循環装置は、少なくとも１個の飼育槽、生物濾過槽、カスケード式濾過槽、ポンピングユニット、及び、水流動力ユニットを備えている。飼育槽は、少なくとも１個の吸水孔及び出水端が設けられた導流部材を有する。生物濾過槽は、互いに連通している集水区及び濾過区を内部に有している。集水区は、出水端を介して飼育槽と連通している。濾過区は、壁面に形成された複数のオーバーフロート口を介して飼育槽と連通しており、かつ、複数の生物濾過材が内部に配置されている。カスケード式濾過槽は、生物濾過槽の上方位置に設置された上下に重なる複数の濾過層を有しており、各濾過層は、内部に配置された濾過材及び底部に形成された開孔を有しており、最下層の濾過層は、飼育槽の上方に位置する複数の送水管をさらに有している。ポンピングユニットは、集水区内に配置された汲水管、及び、最上層の濾過層の上方に位置する少なくとも１個の出水口が設けられた滴流管を有する。水流動力ユニットは、飼育槽内に配置された第一出気端、及び、前記濾過区内に配置された第二出気端を有する。
【００１３】
本考案の効果は下記の通りである。
（１）本考案は水生動物の排泄物を迅速に集中して除去でき、水質を浄化しながら繰り返し循環させるため、魚類の健康及び成長に有益である。
【００１４】
（２）本考案の生物濾過材と水中の気泡とが接触する時には、泡沫を形成するため、泡沫の表面張力作用を利用して、水中の有機物質を吸着することができる。酵素噴霧器は定時かつ定量に自動的に酵素を噴霧するため、酵素を利用しスキマー作用を達成でき、或いは別に各泡沫を導き出して収集し、スキマー作用を形成することができる。
【００１５】
（３）本考案は生物濾過と物理濾過を同時に利用し、二重の濾過作用を達成できるため、水質はより清潔となり、水中に残留するアンモニアを大幅に減らすことができる。
【図面の簡単な説明】
【００１６】
【図１】本考案の組合せを示す断面図である。
【図２】本考案を示す上面図である。
【図３】本考案の使用時を示す模式図である。
【図４】本考案による導流部材が排泄物を吸い取る様子を示す模式図である。
【図５】本考案の他の実施形態の組合せを示す断面図である。
【図６】本考案の他の実施形態を示す上面図である。
【考案を実施するための形態】
【００１７】
本考案の実施形態による水生動物飼育用濾過循環装置を図面に基づいて説明する。
（一実施形態）
本考案の第一実施形態による水生動物飼育用濾過循環装置を図１及び図２に示す。図１及び図２に示すように、本実施形態の水生動物飼育用濾過循環装置は、飼育槽１、生物濾過槽２、滴流濾過槽３、ポンピングユニット４、水流動力ユニット５、及び酵素噴霧器６を備える。
【００１８】
少なくとも１個の飼育槽１の底部には、複数の導流部材１１が設置されている。導流部材１１は、少なくとも１個の管体により組成されている。導流部材１１には、少なくとも１個の吸水孔１２が上向きに開設されている。水が吸水孔１２を通過する時、吸引力を生じるため、魚の排泄物を一緒に吸入することができる。また、導流部材１１一端には、密閉状の封鎖端１３が設置され、反対端には、貫通状の出水端１４が設置されている。
【００１９】
生物濾過槽２は、各飼育槽１と相互に連通している。生物濾過槽２内には、相互に連通した集水区２１及び濾過区２２が設置されている。集水区２１と濾過区２２とは、上下に重ねて設置する。集水区２１中には、出水端１４が連通するように配置されている。また、集水区２１の面積は、上方の濾過区２２の面積より大きい。濾過区２２を超える集水区２１部分の上方には、踏板２３が設置されている。これにより直立状に区画される。
【００２０】
濾過区２２内には、複数の生物濾過材２４が配置される。生物濾過材２４は、生物球又は生物塊である。また、濾過区２２の上方壁面には、複数のオーバーフロート口２５が設置されている。これにより、各飼育槽１とそれぞれ相互に連通している。オーバーフロート口２５には保護ネット２６が設置されており、生物濾過材２４が飼育槽１内へ流入することは回避される。
【００２１】
濾過槽３は、生物濾過槽２の上方位置に設置されている。カスケード濾過槽３内には、上下に重なる複数の濾過層３１が設置されている。各濾過層３１内には、異なる濾過材３２が設置されている。濾過材３２は、フィルターコットン、フィルターコネット、セラミックリング、活性炭又は麦飯石を含む。
【００２２】
カスケード式濾過槽３の最底層の濾過層３１には、複数の送水管３３がそれぞれ設置されている。送水管３３の出口は、飼育槽１の上方に位置している。また、各濾過層３１の底部には、水を通過させ、液滴を形成する開孔３４が設置されている。
【００２３】
ポンピングユニット４は、集水区２１内に設置されている。ポンピングユニット４は、水中モーターであり、ポンピングユニット４には、集水区２１内に通じる汲水管４１が設置されている。また、ポンピングユニット４には滴流管４２が設置され、滴流管４２の出水口４３は、カスケード式濾過槽３の最上層の濾過層３１の上方に位置する。
【００２４】
水流動力ユニット５には、第一出気端５１及び第二出気端５２が接続されている。水流動力ユニット５は、気圧ポンプである。第一出気端５１は、各飼育槽１内において導流部材１２の出水端１４及び生物濾過槽２の隣接位置に配置されている。第二出気端５２は、生物濾過槽２の濾過区２２内の底部位置に配置されている。
【００２５】
酵素噴霧器６は、生物濾過槽２内に配置され、生物濾過槽２に対して、定時に定量の酵素噴霧を自動的に行うことができる。
【００２６】
使用時には、図２及び図３に示すように、飼育槽１、生物濾過槽２の集水区２１及び濾過区２２に、水Ａを注入する。飼育槽１内では、魚Ｂを飼育する。この状態で、ポンピングユニット４を起動すると、ポンピングユニット４の汲水管４１によって、集水区２１内の水分が汲み取られる。
【００２７】
集水区２１と連通する導流部材１１は、吸水孔１２を通して吸引力を生じ、これにより飼育槽１内の魚Ｂの排泄物Ｃを一緒に吸入する（図４参照）。吸入された排泄物Ｃは出水端１４を通じ、集水区２１内に集められる。
【００２８】
ポンピングユニット４の汲水管４１に吸入された水Ａは、滴流管４２の出水口４３から、カスケード式濾過槽３内に滴下され、最上層の濾過層３１の開孔３４より、下方の濾過層３１へ順に滴下されていき、物理濾過が行われる。これにより、魚Ｂが生じた排泄物Ｃが濾過され、また、酸素暴露作用が生じて水Ａ中の酸素含有量が増える。濾過を経てきれいになった水Ａは、カスケード式濾過槽３の最底層の濾過層３１の送水管３３の出口を通り、飼育槽１内へと回流する。
【００２９】
飼育槽１内の水Ａには、水流動力ユニット５の第一出気端５１が噴出する気泡によって、循環流動が生じる。この流動は排泄物Ｃの吸い出しに利する。また、濾過区２２内の生物濾過材２４は、水面上に浮かんで漂う。水流動力ユニット５の第一出気端５１が噴出する気泡は、濾過区２２内の水流と連動して各生物濾過材２４にぶつかる。よって、生物濾過材２４上で培養される硝化菌は、充分に水Ａと接触する。
【００３０】
生物濾過材２４は水Ａと接触する時、水Ａ中に含まれるアンモニアを完全に分解することが可能である。これにより、水質を浄化することができる。さらに、硝化菌は、水Ａ中の溶解酸素を吸収でき、その分解効率と成長速度を速めることができる。また、生物濾過材２４と水Ａ中の気泡とが接触する時には、泡沫を形成するため、泡沫の表面張力作用によって水中の有機物質を吸着することができる。
【００３１】
また、酵素噴霧器６は、生物濾過槽２に対して定時に定量で自動的に酵素を噴霧するため、酵素によって泡沫を除去できる。又は各泡沫を別に生物濾過槽２外へと導き出し収集してもよい。これにより、スキマー作用を及ぼすことができる。さらに濾過区２２内の水位が高すぎる時には、余分な水Ａは、オーバーフロート口２５から、飼育槽１内へと流入する。これにより、飼育槽１内の水は、低アンモニア状態を維持することができる。
【００３２】
本考案の他の実施形態では、図５及び図６に示すように、飼育槽１の底部に、複数の導流部材１１が設置されている。導流部材１１の出水端１４は輸送管１５に連接しており、輸送管１５は、ポンピングユニット４の汲水管４１と連接している。よって、飼育槽１内の水を、直接ポンピングユニット４へと送り出し、汲み取りを行い、迅速に循環濾過を達成することができる。
【００３３】
上述の実施形態の説明を総合すると、本考案の操作、使用、及び本考案が生じさせる効果を充分理解することができる。但し、以上に述べた実施形態は、単に本考案の好ましい実施形態であり、これによって本考案の実用新案登録請求の範囲を限定することはない。即ち本考案の実用新案登録請求の範囲及び明細書の内容に基づいて、同等効果を有する簡単な変化及び修飾は、全て、本考案の範囲に属するものとする。
【符号の説明】
【００３４】
１  飼育槽
１１  導流部材
１２  吸水孔
１３  封鎖端
１４  出水端
１５  輸送管
２  生物濾過槽
２１  集水区
２２  濾過区
２３  踏板
２４  生物濾過材
２５  オーバーフロート口
２６  保護ネット
３  カスケード式濾過槽
３１  濾過層
３２  濾過材
３３  送水管
３４  開孔
４  ポンピングユニット
４１  汲水管
４２  滴流管
４３  出水口
５  水流動力ユニット
５１  第一出気端
５２  第二出気端
６  酵素噴霧器
Ａ  水
Ｂ  魚
Ｃ  排泄物
【図１】
0003189841.tif 000003
【図２】
0003189841.tif 000004
【図３】
0003189841.tif 000005
【図４】
0003189841.tif 000006
【図５】
0003189841.tif 000007
【図６】
0003189841.tif 000008